(57)【要約】【課題】熱の発生および動力消費量が低減され且つ良好な背圧調和並びに圧縮が提供されるようにターボ分子ポンプを形成する。【解決手段】ターボ分子ポンプ（Ｔ）は、軸方向に交互に相前後して配置された、羽根（１０）が設けられている複数のロータ・ディスクおよびステータ・ディスク（８、９）を含み、この場合、高真空側（２）方向の羽根（１０）が真空側（３）方向の羽根（１０）よりも急勾配の迎え角αを有している。特に効率を高めるために、ターボ分子ポンプ（Ｔ）は、真空側（３）方向の羽根（１０）の迎え角αが８°より小さい値、好ましくは５°より小さい値を有するように形成されている。羽根（１０）の製造が高速切削により行われることが好ましい。【選択図】  図２
2005264932.tif 000002
【特許請求の範囲】
【請求項１】
軸方向に交互に相前後して配置された、羽根（１０）が設けられている複数のロータ・ディスクおよびステータ・ディスク（８、９）を有するターボ分子ポンプであって、この場合、高真空側（２）方向の羽根（１０）が真空側（３）方向の羽根（１０）よりも急勾配の迎え角αを有する前記ターボ分子ポンプにおいて、
真空側（３）方向の羽根（１０）の迎え角αが８°より小さい値を有することを特徴とするターボ分子ポンプ。
【請求項２】
真空側（３）方向の羽根（１０）の迎え角αが６°より小さい値を有することを特徴とする請求項１のターボ分子ポンプ。
【請求項３】
真空側（３）方向の羽根（１０）の迎え角αが５°より小さい値を有することを特徴とする請求項２のターボ分子ポンプ。
【請求項４】
真空側（３）方向の羽根（１０）の迎え角αが５．９°−４．６°の値を有することを特徴とする請求項２又は３のターボ分子ポンプ。
【請求項５】
羽根（１０）の軸方向厚さ（Ｄ）が５ｍｍより小さいことを特徴とする請求項１ないし４のいずれかのターボ分子ポンプ。
【請求項６】
羽根（１０）の軸方向厚さ（Ｄ）が４．５ｍｍに等しいかまたはそれより小さいことを特徴とする請求項５のターボ分子ポンプ。
【請求項７】
羽根（１０）の軸方向厚さ（Ｄ）が３．０−４．５ｍｍであることを特徴とする請求項６のターボ分子ポンプ。
【請求項８】
羽根（１０）の断面が少なくともほぼ平行四辺形の形を有することを特徴とする請求項１ないし７のいずれかのターボ分子ポンプ。
【請求項９】
羽根（１０）が設けられている、請求項１ないし８のいずれかのターボ分子ポンプ（Ｔ）のロータ・ディスクまたはステータ・ディスク（８、９）の製造方法において、
製造方法として、圧力が加えられることなく材料が切除されるいわゆる高速切削が使用されることを特徴とするターボ分子ポンプのロータ・ディスクまたはステータ・ディスクの製造方法。
【発明の詳細な説明】
【技術分野】
【０００１】
本発明は、軸方向に交互に相前後して配置され且つ羽根が設けられている複数のロータ・ディスクおよびステータ・ディスクを有するターボ分子ポンプであって、この場合、高真空側方向の羽根が真空側方向の羽根よりも急勾配の迎え角αを有する前記ターボ分子ポンプに関するものである。
【０００２】
さらに、本発明は、羽根が設けられている、このようなターボ分子ポンプのロータ・ディスクまたはステータ・ディスクの製造方法に関するものである。
【背景技術】
【０００３】
このようなターボ分子ポンプは例えばドイツ特許第２０３５０６３号またはドイツ特許第２７１７３６６号から既知である。これらに記載の羽根の断面は平行四辺形の形を有している。羽根の軸方向位置に応じてそれぞれ、迎え角は２５°−４０°の値を有している。
【０００４】
ドイツ特許公開第１０１０３２３０号から、羽根の断面が平行四辺形からかなり外れ且つほぼ翼形状を有しているターボ分子ポンプが既知である。平均迎え角は約４５°の値を有している。
【０００５】
ドイツ実用新案登録第７２３７３６２号から、吸込側に配置されている、吸込グループＡと呼ばれる第１の羽根のグループの羽根が３０°−４０°の迎え角を有し、および残りの羽根段からなる、圧縮グループＢと呼ばれる第２のグループの羽根が１７°−３０°の迎え角を有するターボ分子ポンプが既知である。第２のグループ即ち圧縮グループは、それらの羽根が２５°−３０°の迎え角ないし１７°ないし２５°の迎え角を有する２つのサブグループに分割されていてもよい。
【０００６】
実際に、モデルＡｌｃａｔｅｌ  ＡＴＨ  １６００Ｍにより、１９°より大きい迎え角を有する平坦羽根が、およびモデルＬｅｙｂｏｌｄ  ＭＡＧ  ２０００により、９°より大きい迎え角を有する羽根が既知となっている。
【０００７】
ターボ分子ポンプのポンプ作用構造部分は、軸方向に交互に相前後して配置された、羽根が設けられているロータ・ディスクおよびステータ・ディスクから構成されている。これらのディスクの協働により、既知のようにポンプ効果が発生される。
【０００８】
ターボ分子ポンプの固有の特性は圧縮能力および排気速度である。両方の特性は、主として、次のパラメータ、即ち、ロータ・ディスクの羽根リングの周速、羽根数、羽根の迎え角および全ディスク・パケットの異なるディスクの順次変化により決定される。前記順次変化の範囲内において、羽根の迎え角は吸込開口からガス流出方向へ小さくなっている。
【０００９】
圧縮段または吐出段内において著しく熱が発生され、この熱はロータを加熱させることが好ましくない。さらに、これらの段は、ポンプの背圧が高い場合、背圧調和および動力消費量に対してきわめて重要である。即ち、既知の形状は、不十分な背圧調和、高い動力消費量および著しいロータ加熱を示す。
【発明の開示】
【発明が解決しようとする課題】
【００１０】
これらの背景から、熱の発生および動力消費量が低減され且つ良好な背圧調和並びに圧縮が提供されるようにターボ分子ポンプを形成することが本発明の技術的課題である。
【課題を解決するための手段】
【００１１】
この技術的課題は、圧縮段または吐出段内の羽根の迎え角を本質的に小さくすることにより解決され、しかも真空側方向の羽根の迎え角は８°より小さい値を有するべきである。
【００１２】
より平坦な迎え角形状は一連の有効な作用を有している。第１に、重なり比が同じ場合、ディスク高さが小さいにもかかわらず１枚のディスク当たりの羽根数は少なくなる。さらに、高い圧力範囲内の渦の形成が回避され、これにより、消費動力および熱の発生が低減される。ディスク高さおよび羽根高さが小さいことにより、分子の衝突率が小さくなり、したがって損失が小さくなり、最終的にポンプの構造長さが小さくなる。羽根数が少なくなることにより圧縮動力がさらに低減される。さらに、特に粉塵および腐食性ガスに対して強いポンプ段の構造が可能となる。これは一方で圧縮力に関して利点を有している。存在する羽根の数が少なくなればなるほど、羽根に対して軸方向に作用する圧縮力はそれだけ小さくなり且つターボ分子ポンプの駆動のために必要なエネルギーもまたそれだけ小さくなる。要するに、本発明の形状により、構造がコンパクトになり且つ吐出段内したがってターボ分子ポンプ全体内の性能が本質的に改善される。
【００１３】
真空側方向の羽根の迎え角が６°より小さい値を有するとき、前記利点のさらなる向上が達成可能である。
最終的に、極端な場合、真空側方向の羽根の迎え角がさらに５°より小さい値を有するとき、この利点は特に顕著となる。
【００１４】
例えば、本発明によるターボ分子ポンプにおいて、真空側方向の羽根の迎え角が５．９°−４．６°の値を有していてもよい。
ディスク高さの低減は、羽根の軸方向厚さが５ｍｍより小さく、特に４．５ｍｍに等しいかまたはそれより小さく、および極端な場合、３．０−４．５ｍｍまで低減されていることを意味する。
【００１５】
従来、ターボ分子ポンプにおいて、２５０ｍｍのポンプ直径の場合、例えば２４枚の羽根が設けられてきた。羽根はディスクの構成部分であり、ディスクは少なくとも５ｍｍの厚さであった。新たな形状により、同じポンプ直径において１６枚または１２枚の羽根で間に合わせることが可能であり、この場合、ディスク高さは僅かに３．０−４．５ｍｍの値を有しているにすぎない。
【００１６】
本発明によるターボ分子ポンプにおいて、羽根の断面は少なくともほぼ平行四辺形の形を有していてもよい。
このような平坦な角度ないし薄いディスクおよびそれに対応してさらにより薄い羽根の肉厚を形成するために、特に、製造方法として、圧力が加えられることなく材料が切除されるいわゆる高速切削を使用することが特に提案される。
【００１７】
本発明による装置が単に例として示されている付属図面から、本発明のその他の特徴および利点が明らかである。
【発明を実施するための最良の形態】
【００１８】
図１において、ターボ分子ポンプＴは、一方の端部側に吸込フランジ２が配置され且つ他方の端部側に吐出フランジ３が装着されているハウジング１を含む。ハウジング１内において、ロータ軸４は転がり軸受５、６上に回転可能に支持されている。ロータ軸４は電動駆動装置７により高速で回転される。この場合、ロータ軸４に固定されているロータ・ディスク８はハウジング１内に装着されているステータ・ディスク９と協働する。
【００１９】
吐出側の吐出フランジ３の付近に配置されているロータ・ディスク８およびステータ・ディスク９のグループは、その迎え角が４．６°−５．９°の範囲内の羽根１０を有している。図２において、迎え角αは、明確に示すために著しく拡大して示されている。この場合、ディスク厚さＤは３．０ｍｍ−４．５ｍｍの範囲内の値を有している。
【００２０】
羽根１０は少なくともほぼ平行四辺形の断面を有している。羽根を製造するためにいわゆる高速切削が使用され、高速切削においては、羽根１０を製造するために、薄いディスク８、９の材料が圧力を加えることなく切除される。
【図面の簡単な説明】
【００２１】
【図１】ターボ分子ポンプの略中央断面図である。
【図２】図１のターボ分子ポンプの羽根の断面図である。
【符号の説明】
【００２２】
１    ハウジング
２    吸込フランジ（高真空側）
３    吐出フランジ（真空側）
４    ロータ軸
５、６    転がり軸受
７    駆動装置
８    ロータ・ディスク
９    ステータ・ディスク
１０    羽根
Ｔ    ターボ分子ポンプ
Ｄ    ディスク厚さ
α    羽根の迎え角
【図１】
2005264932.tif 000003
【図２】
2005264932.tif 000004